(57)【要約】【課題】  サーバに格納される情報が膨大になるのを防ぎ、かつ、サーバへの入力情報の質を高めることが可能な、生物生産支援システムを提供する。【解決手段】  本発明の生物生産支援システムは、通信回線網３０を介して接続可能な端末１０及びサーバ２０を含み、端末１０は、生物生産情報の入出力手段１１と、生物生産情報の加工手段１２と、を含み、サーバ２０は、外部から生物生産情報を取得する取得手段２１と、取得された生物生産情報を格納したデータベース（ＤＢ）２２と、を含み、端末１０は、入出力手段１１により、サーバ２０のＤＢ２２から生物生産情報を入手可能であり、かつ、サーバ２０へ生物生産情報を送信可能であり、端末１０は、加工手段１２により、生物生産情報を加工してサーバ２０に送信可能であり、サーバ２０は、加工された生物生産情報をＤＢ２２に格納することを特徴とする。【選択図】  図１
2013135631.tif 000002
【特許請求の範囲】
【請求項１】
端末及びサーバを含み、
前記端末及びサーバは、通信回線網を介して接続可能であり、
前記端末は、
生物生産情報の入出力手段と、
生物生産情報の加工手段と、
を含み、
前記サーバは、
外部から生物生産情報を取得する取得手段と、
取得された生物生産情報を格納したデータベースと、
を含み、
前記端末は、前記入出力手段により、前記サーバのデータベースから生物生産情報を入手可能であり、かつ、前記サーバへ生物生産情報を送信可能であり、
前記端末は、前記加工手段により、前記生物生産情報を加工してサーバに送信可能であり、
前記サーバは、前記加工された生物生産情報を前記データベースに格納する
ことを特徴とする生物生産支援システム。
【請求項２】
さらに、生物生産情報生成装置を含み、
前記生物生産情報生成装置と、前記サーバが、通信回線網を介して接続可能であり、
前記サーバの取得手段により、前記生物生産情報生成装置で生成された情報が取得され、
前記データベースに格納されることを特徴とする請求項１記載の生物生産支援システム。
【請求項３】
前記端末は、さらに、プログラム制御手段を含み、
前記プログラム制御手段により、複数のプログラムの中から実行するプログラムを選択することを特徴とする請求項１又は２記載の生物生産支援システム。
【請求項４】
前記サーバが、さらに、複数のプログラムが格納されたプログラムデータベースを含むことを特徴とする請求項３記載の生物生産支援システム。
【請求項５】
前記生物生産情報が、生物の環境情報及び生物の生育情報の少なくとも一方を含むことを特徴とする請求項１から４のいずれか一項に記載の生物生産支援システム。
【発明の詳細な説明】
【技術分野】
【０００１】
本発明は、生物生産支援システムに関する。
【背景技術】
【０００２】
近年、農林水産業における作業現場環境制御技術のＩＴ化が急速に進んでいる。例えば、センサーで検出された生育環境に関するデータ（情報）をデータ蓄積部（サーバ）に蓄積（格納）し、格納された前記情報に基づいて植物育成条件を制御する植物の栽培装置が提案されている（特許文献１）。
【先行技術文献】
【特許文献】
【０００３】
【特許文献１】特開２００４−０００１４６号公報
【発明の概要】
【発明が解決しようとする課題】
【０００４】
しかしながら、前記植物の栽培装置には、センサーで検出されたすべての情報を、サーバで集中処理するため、サーバに格納される情報が膨大になるという問題がある。また、センサーで検出された情報は、その内容にかかわらず自動的にサーバに送信・入力されるため、サーバに格納される情報の質が低いという問題も生じている。
【０００５】
そこで、本発明は、サーバに格納される情報が膨大になるのを防ぎ、かつ、サーバへの入力情報の質を高めることが可能な、生物生産支援システムを提供することを目的とする。
【課題を解決するための手段】
【０００６】
本発明の生物生産支援システムは、
端末及びサーバを含み、
前記端末及びサーバは、通信回線網を介して接続可能であり、
前記端末は、
生物生産情報の入出力手段と、
生物生産情報の加工手段と、
を含み、
前記サーバは、
外部から生物生産情報を取得する取得手段と、
取得された生物生産情報を格納したデータベースと、
を含み、
前記端末は、前記入出力手段により、前記サーバのデータベースから生物生産情報を入手可能であり、かつ、前記サーバへ生物生産情報を送信可能であり、
前記端末は、前記加工手段により、前記生物生産情報を加工してサーバに送信可能であり、
前記サーバは、前記加工された生物生産情報を前記データベースに格納する
ことを特徴とする。
【発明の効果】
【０００７】
本発明によれば、サーバに格納される情報が膨大になるのを防ぎ、かつ、サーバへの入力情報の質を高めることが可能な、生物生産支援システムを提供できる。
【図面の簡単な説明】
【０００８】
【図１】図１は、本発明の生物生産支援システムの構成の一例を示す模式図である。
【図２】図２は、本発明の生物生産支援システムの構成のその他の例を示す模式図である。
【図３】図３は、本発明の生物生産支援システムの構成のさらにその他の例を示す模式図である。
【図４】図４は、本発明の生物生産支援システムの構成のさらにその他の例を示す模式図である。
【図５】図５は、図２に示す生物生産支援システムの適用例を示す模式図である。
【発明を実施するための形態】
【０００９】
本発明において、「生物生産」とは、生物の生産全般を意味し、特に制限されない。前記生物生産としては、例えば、農業及び林業における植物の栽培、水産業における魚介類、海藻の養殖、畜産業における動物の飼育等があげられる。
【００１０】
本発明の生物生産支援システムは、さらに、生物生産情報生成装置を含み、
前記生物生産情報生成装置と、前記サーバが、通信回線網を介して接続可能であり、
前記サーバの取得手段により、前記生物生産情報生成装置で生成された情報が取得され、
前記データベースに格納されることが好ましい。
【００１１】
本発明の生物生産支援システムにおいて、前記端末は、さらに、プログラム制御手段を含み、前記プログラム制御手段により、複数のプログラムの中から実行するプログラムを選択することが好ましい。この場合において、前記サーバが、さらに、複数のプログラムが格納されたプログラムデータベースを含むことが好ましい。
【００１２】
本発明において、前記生物生産情報としては、例えば、作業者が現場で得た情報、前記生物生産情報生成装置で生成された情報、前記サーバのデータベースに格納済みの情報等があげられる。本発明の生物生産支援システムにおいて、前記生物生産情報は、生物の環境情報及び生物の生育情報の少なくとも一方を含むことが好ましい。前記作業者が現場で得た情報としては、例えば、作業者が現場にて目視で得た生物の環境情報（例えば、土壌の状態、海水の状態、養殖場、飼育場所等の汚れ具合の情報等）、作業者が現場にて目視で又は作業をして得た生物の生育情報（例えば、果実の糖度、樹木の伸長度、魚介類、海藻及び動物の成長度、給餌・給水情報（例えば、飼料・水の状態、給餌・給水量、給餌・給水時間に関する情報等）、排泄物情報、搾乳に関する情報（搾乳量、搾乳時間に関する情報等））等があげられる。前記生物生産情報生成装置で生成された情報としては、例えば、前記生物生産情報生成装置で生成された生物の環境情報（例えば、日照量（日射量）、日照時間、気温、湿度、二酸化炭素濃度、風速、風向、気圧、雨量、土壌温度、土壌水分量、土壌電気伝導度（土壌ＥＣ）、土壌酸度（土壌ｐＨ）、土壌成分（微生物を含む）、水温、水流、プランクトン量の情報等）等があげられる。前記サーバのデータベースに格納済みの情報としては、例えば、過去に前記端末の加工手段で加工され、前記サーバのデータベースに格納された、前記作業者が現場で得た情報及び前記生物生産情報生成装置で生成された情報等があげられる。
【００１３】
つぎに、本発明の生物生産支援システムの実施形態について説明する。ただし、本発明は、下記の実施形態に限定されない。
【００１４】
（実施形態１）
図１の模式図に、本発明の生物生産支援システムの構成の一例を示す。図示のとおり、この生物生産支援システムは、端末１０及びサーバ２０を含む。端末１０及びサーバ２０は、通信回線網３０を介して接続可能である。端末１０は、生物生産情報の入出力手段１１と、生物生産情報の加工手段１２とを含む。サーバ２０は、外部から生物生産情報を取得する取得手段２１と、取得された生物生産情報を格納したデータベース（ＤＢ）２２とを含む。
【００１５】
端末１０としては、例えば、携帯電話（スマートフォンを含む）、ＰＤＡ（Ｐｅｒｓｏｎａｌ  Ｄｉｇｉｔａｌ  Ａｓｓｉｓｔａｎｔ）、タブレット端末、ノートパソコン等があげられる。
【００１６】
端末１０の入出力手段１１のうち、入力手段としては、例えば、ＲＦＩＤ（Ｒａｄｉｏ  Ｆｒｅｑｕｅｎｃｙ  ＩＤｅｎｔｉｆｉｃａｔｉｏｎ）、カード、バーコード、ＱＲコード（登録商標）、タッチパネル、ボタン、音声入力手段（例えば、マイク等）、キーボード、マウス等があげられる。端末１０の入出力手段１１のうち、出力手段としては、ディスプレイ、音声出力手段（例えば、イヤホーン等）等があげられる。端末１０は、入出力手段１１により、サーバ２０のＤＢ２２から生物生産情報を入手可能であり、かつ、サーバ２０へ生物生産情報を送信可能である。
【００１７】
端末１０の加工手段１２としては、例えば、コンピュータ対話制御手段（作業者がコンピュータ（端末）を操作する対話方法について、対話構成要素をＷＢＳ（Ｗｏｒｋ  Ｂｒｅａｋｄｏｗｎ  Ｓｔｒｕｃｔｕｒｅ）のように管理し、組み合わせ定義できるようにする言語）等があげられる。前記ＷＢＳとは、プロジェクトマネジメントで計画を立てる際に用いられる手法の一つで、プロジェクト全体を細かい作業に分割した構成図であり、「作業分割構成」、「作業分解図」等とも呼ばれる。
【００１８】
端末１０の加工手段１２による生物生産情報の加工としては、例えば、作業者が現場にて行う生物生産情報の加工等があげられる。作業者が現場にて行う生物生産情報の加工としては、例えば、人による状況判断がなされ、人の知識・知恵を融合させた生物生産情報の生成、人が作業しなければ得られない生物生産情報（例えば、果汁を採取して測定する必要がある果実の糖度等）の取得等があげられる。端末１０は、加工手段１２により、生物生産情報を加工してサーバ２０に送信可能である。
【００１９】
サーバ２０は、取得手段２１及びＤＢ２２を含むものであればいかなるものであってもよく、例えば、従来公知のサーバを使用できる。サーバ２０は、端末１０の加工手段１２で加工された生物生産情報をＤＢ２２に格納する。
【００２０】
通信回線網３０は、無線でも有線でもよいが、無線が好ましく、例えば、インターネット、イントラネット、ＬＡＮ（Ｌｏｃａｌ  Ａｒｅａ  Ｎｅｔｗｏｒｋ）等があげられる。
【００２１】
本実施形態の生物生産支援システムによれば、従来はサーバで集中処理されていた生物生産情報の加工を、端末１０の加工手段１２に分散し、端末１０の加工手段１２により加工された生物生産情報をサーバ２０のＤＢ２２に格納するため、サーバ２０に格納される情報が膨大になることがない。また、本実施形態の生物生産支援システムによれば、端末１０の加工手段１２による生物生産情報の加工により、サーバ２０への入力情報の質を高めることが可能である。さらに、本実施形態の生物生産支援システムによれば、失敗経験を含めて、サーバ２０のＤＢ２２に格納済みの生物生産情報（サーバ２０のＤＢ２２に格納済みの失敗と成功の履歴）を、作業者が現場で参照することで、作業の質を高めることができる。
【００２２】
（実施形態２）
図２の模式図に、本発明の生物生産支援システムの構成のその他の例を示す。図２において、図１と同一部分には、同一符号を付している。図示のとおり、本実施形態の生物生産支援システムは、さらに、生物生産情報生成装置４０を含むこと以外、図１に示した生物生産支援システムと同様の構成である。生物生産情報生成装置４０とサーバ２０は、通信回線網３０を介して接続可能である。
【００２３】
生物生産情報生成装置４０としては、例えば、日照量（日射量）を測定する太陽電池、生物の育成環境及び周辺を監視するカメラ（例えば、ネットワークカメラ、ビデオカメラ、デジタルカメラ、Ｗｅｂカメラ等）、気温、湿度、二酸化炭素濃度等を測定する環境センサー（例えば、熱電対、サーミスト、セラミックス湿度センサー、高分子膜湿度センサー、半導体ガスセンサー等）、土壌温度、土壌水分量、土壌電気伝導度（土壌ＥＣ）、土壌酸度（土壌ｐＨ）等を測定する土壌センサー等があげられる。
【００２４】
生物生産情報生成装置４０で生成された生物生産情報は、通信回線網３０により、サーバ２０を介して、又はサーバ２０を介することなく直接端末１０に送信される。端末１０に送信された生物生産情報生成装置４０で生成された生物生産情報は、端末１０の加工手段１２により加工された後、サーバ２０のＤＢ２２に格納される。
【００２５】
本実施形態において、端末１０の加工手段１２は、例えば、生物生産情報生成装置４０の動作、生物生産情報生成装置４０で生成された生物生産情報の取込方法、生物生産情報生成装置４０で生成された生物生産情報を作業者が加工する方法について、前記ＷＢＳのように管理する。
【００２６】
本実施形態の生物生産支援システムによれば、実施形態１の効果に加え、さらに、次のような効果を得ることができる。まず、生物生産情報生成装置４０で生成された生物生産情報をそのまま利用するのではなく、次にどのような作業を行うべきかを現場で作業者が即決するという加工を加えることで、判断ミスを低減できる。また、この現場即決の情報を、他の生物生産情報生成装置４０で生成された生物生産情報と結び付けてサーバ２０のＤＢ２２に格納することで、次に活かせる情報を蓄積することができる。
【００２７】
さらに、本実施形態の生物生産支援システムによれば、作業者が目視で得た生物生産情報と生物生産情報生成装置４０で生成された生物生産情報とを現場にて作業者が比較することで、生物の育成環境状況を、より詳細に、より正確に把握できる。
【００２８】
図２では、生物生産情報生成装置４０を独立して示しているが、生物生産情報生成装置４０は、端末１０に搭載されていてもよい。
【００２９】
（実施形態３）
図３の模式図に、本発明の生物生産支援システムの構成のさらにその他の例を示す。図３において、図１及び図２と同一部分には、同一符号を付している。図示のとおり、本実施形態の生物生産支援システムは、端末１０が、さらに、プログラム制御手段１３を含むこと以外は、図１に示した生物生産支援システムと同様の構成である。本実施形態の生物生産支援システムは、さらに、図２に示す生物生産情報生成装置４０を含んでいてもよい。
【００３０】
プログラム制御手段１３は、前述のとおり、複数のプログラムの中から、実行するプログラムを選択することを可能とする。プログラム制御手段１３は、例えば、プログラムの選択を、前記ＷＢＳのように管理する。複数のプログラムの例としては、例えば、土壌の違い又は天候の違い等の栽培環境の差に応じた複数のプログラム、小売又は消費者等の需要側の要求に合わせるための複数のプログラム、天災等により計画が予測困難となり、突発的な対応が必要になった場合に例外作業を認めるための複数のプログラム、作業者の熟練度に応じた複数のプログラム等があげられる。
【００３１】
作業者は、初心者、ある程度経験のある者、熟練者というように、経験レベルが様々であり、作業者によって現場で目視等によって取り込む情報も異なる。そこで、このような経験レベルの違いを全てサーバ機能で解決するのではなく、作業者のレベルに合わせて、柔軟に対応できるシステムにすることにより、サーバ機能を膨大にすることを防ぐことができる。また、本実施形態によれば、臨時の作業代理等で通常と異なる作業者が作業する場合において、詳細な支援システムが必要であるという場合にも対応可能である。
【００３２】
作業者の熟練度に応じた複数のプログラムの中から、実行するプログラムを選択する場合には、端末１０がＩＣタグリーダを有しており、作業現場において、作業者特定用のＩＣタグを読み込むことによって、その作業者の能力に応じたプログラムを選択することとしてもよい。例えば、農業において、当該作物を栽培した経験がほとんどない作業者に対しては、作業の工程が詳細に表示されるプログラム、当該作物の栽培に関して熟練した技術を有している作業者に対しては、その作業者が特に知りたい情報のみが表示されるプログラムを選択する。
【００３３】
（実施形態４）
図４の模式図に、本発明の生物生産支援システムの構成のさらにその他の例を示す。図４において、図３と同一部分には、同一符号を付している。図示のとおり、本実施形態の生物生産支援システムは、サーバ２０が、プログラムＤＢ２３を含むこと以外は、図３に示した生物生産支援システムと同様の構成である。
【００３４】
プログラムＤＢ２３には、プログラム制御手段１３によって選択される複数のプログラムが格納されている。本実施形態において、端末１０が実行するプログラムを選択する際には、通信回線網３０を介してサーバ２０のプログラムＤＢ２３を参照する。本実施形態によれば、サーバ２０がプログラムＤＢ２３を含むため、端末１０のデータ容量を軽減することができる。本実施形態の生物生産支援システムは、例えば、クラウドコンピューティングに対応したものであってもよい。なお、プログラムＤＢ２３は、端末１０に格納されていてもよい。
【００３５】
（実施形態５）
図５の模式図に、図２に示す生物生産支援システムの適用例を示す。本実施形態は、図２に示す生物生産支援システムを、ミカン５０の栽培に適用した例である。本例において、端末１０は、スマートフォンであり、作業者６０が所持しており、生物生産情報生成装置４０は、太陽電池、ネットワークカメラ、環境センサー及び土壌センサーを備えている。
【００３６】
ミカン５０をはじめとした露地農業では、生物の環境情報は、生物生産情報生成装置４０により測定可能だが、制御はできず、生物の生育は、制御はできるが、生物生産情報生成装置４０により測定するのは困難である。このため、過去に取得し、サーバ２０のＤＢ（図示省略）に格納済みの生物生産情報が極めて重要である。本実施形態の生物生産支援システムによれば、失敗経験を含めて、サーバ２０のＤＢに格納済みの生物生産情報（サーバ２０のＤＢに格納済みの失敗と成功の履歴）を、作業者６０が現場のミカン園で参照することで、作業の質を高めることができる。
【００３７】
生物（植物）の栽培条件の中でも、土壌成分（微生物を含む）のばらつき、土地の傾斜等による土壌水分量のばらつきを把握するのは難しい。また、土壌水分量の測定において、生物生産情報生成装置４０の測定位置と、植物の根の位置とは一致するわけではないので、生物生産情報装置４０による測定も困難である。ミカン５０のように根を深くはる作物を対象とした土壌水分量の把握においては、例えば、小さな植物では、１５ｃｍと３０ｃｍ、大きな植物では、３０ｃｍと６０ｃｍ又は９０ｃｍ等、複数点の深さで測定することが好ましい。なお、前述の測定深さは例示に過ぎず、本発明はこれに限定されない。
【００３８】
また、生物生産情報生成装置４０により生成される生物生産情報の中でも、気温、湿度、二酸化炭素濃度等は、生物生産情報生成装置４０の配置に影響されることなく、ほぼ正確に測定できるが、土壌水分量の測定には、生物生産情報生成装置４０の配置に工夫が必要である。例えば、ミカン園での土壌水分量測定においては、樹と樹の間、１樹おきに測定することが好ましく、土壌水分量の測定値は、土壌電気伝導度（土壌ＥＣ）値の影響を受けるため、樹と樹の間に施用されている肥料を避けて、樹幹下外周近く、主幹から約７０ｃｍの位置で測定することが好ましい。
【００３９】
本実施形態の生物生産支援システムによれば、例えば、果汁を採取して測定する必要があるミカン５０の糖度等の人が作業しなければ得られない生物生産情報を作業者６０が取得し、サーバ２０へと送信することで、サーバ２０のＤＢに格納することができる。
【００４０】
また、本実施形態の生物生産支援システムによれば、例えば、生物生産情報生成装置４０で生成された土壌水分量等の生物生産情報をそのまま利用するのではなく、作業者６０が、必要な生物生産情報のみを選択する等の加工を加えた後、サーバ２０へと送信することで、サーバ２０に格納される情報が膨大になるのを防ぎ、かつ、サーバ２０への入力情報の質を高めることが可能である。
【００４１】
さらに、本実施形態の生物生産支援システムによれば、作業者６０が目視で得た生物生産情報と生物生産情報生成装置４０で生成された生物生産情報とを現場であるミカン園にて作業者６０が比較することで、ミカン５０の育成環境状況を、より詳細に、より正確に把握できる。
【産業上の利用可能性】
【００４２】
本発明の生物生産支援システムは、サーバに格納される情報が膨大になるのを防ぎ、かつ、サーバへの入力情報の質を高めることが可能なものである。本発明の生物生産支援システムの用途は、特に制限されず、例えば、農業、林業、水産業、畜産業等の幅広い分野に適用可能である。
【符号の説明】
【００４３】
１０  端末
１１  入出力手段
１２  加工手段
１３  プログラム制御手段
２０  サーバ
２１  取得手段
２２  データベース（ＤＢ）
２３  プログラムＤＢ
３０  通信回線網
４０  生物生産情報生成装置
５０  ミカン
６０  作業者
【図１】
2013135631.tif 000003
【図２】
2013135631.tif 000004
【図３】
2013135631.tif 000005
【図４】
2013135631.tif 000006
【図５】
2013135631.tif 000007